【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
上椎体及び下椎体によって形成された椎間腔内に挿入方向に沿って挿入されるように構成された椎間インプラントであって、
上及び下椎体の一方と係合するように各々構成された第１及び第２の対向する外面を有する本体であって、前記第１及び第２の対向する外面は、挿入方向に沿って第１の角度で互いに向けて収束する、前記本体と、
前記第１の外面から出て延び、第１の本体接面を形成する第１のロッキング部材を含む第１の竜骨と、
前記第２の外面から出て延びる第２の竜骨であって、該第２の竜骨が、第２の本体接面を形成する第２のロッキング部材を含み、前記第１の本体接面が、挿入方向に沿って前記本体の前記第１の外面から発散し、前記第２の本体接面が、該挿入方向に沿って該本体の該第２の外面から発散し、前記第１の本体接面及び前記第２の本体接面は、挿入方向に沿って互いに向けて収束する、前記第２の竜骨と、
を含む椎間インプラント。
【請求項２】
前記第１及び第２の竜骨の各々は、該それぞれの竜骨の外側部分が、該それぞれの竜骨の内側部分よりも広くなるように、該それぞれの竜骨に沿って外向き方向に関して増大する横幅を形成し、かつ、
前記横幅は、前記挿入方向及び前記外向き方向に対して実質的に横断方向である、
請求項１に記載の椎間インプラント。
【請求項３】
（ｉ）前記第１の竜骨は、第１の支持体を含み、前記第１のロッキング部材は、該第１の支持体の外端に配置され、（ｉｉ）前記第２の竜骨は、第２の支持体を含み、前記第２のロッキング部材は、該第２の支持体の外端に配置され、（ｉｉｉ）該第１のロッキング部材は、該第１の支持体の横幅よりも大きい横幅を有し、該第２のロッキング部材は、該第２の支持体の横幅よりも大きい横幅を有する請求項２に記載の椎間インプラント。
【請求項４】
前記本体は、前記第１及び第２の竜骨の少なくとも一方が後部及び前部側面の間で実質的な挿入の方向に細長くなるような後部側面及び対向する前部側面を形成する請求項３に記載の椎間インプラント。
【請求項５】
前記第１及び第２の支持体の前端が、前記挿入方向及び前記外向き方向に対して実質的に横断方向である横方向に該第１及び第２の支持体の中心軸から離れるように曲がるフレアを形成する請求項３に記載の椎間インプラント。
【請求項６】
前記本体の前記前部側面は、該本体を挿入器具に連結するように構成された係合部材を形成する請求項４に記載の椎間インプラント。
【請求項７】
前記第１のロッキング部材の前部部分が、第１の距離だけ前記第１の外面から離間し、該第１のロッキング部材の後部部分が、該第１の距離よりも大きい第２の距離だけ該第１の外面から離間する請求項４に記載の椎間インプラント。
【請求項８】
前記第２のロッキング部材の前部部分が、第１の距離だけ前記第２の外面から離間し、該第２のロッキング部材の後部部分が、該第１の距離よりも大きい第２の距離だけ該第２の外面から離間する請求項７に記載の椎間インプラント。
【請求項９】
前記第１及び第２の外面は、前記前部側面から前記後部側面まで前記挿入方向に沿って互いに向けて収束する請求項４に記載の椎間インプラント。
【請求項１０】
前記第１及び第２の外面は、第１の角度で互いに向けて収束し、前記第１及び第２のロッキング部材の前記本体接面は、該第１の角度よりも小さい第２の角度で互いに向けて収束する請求項９に記載の椎間インプラント。
【請求項１１】
前記本体は、前記第１及び第２の外面の間で前記本体を通って延びる少なくとも１つのボアを含む請求項１に記載の椎間インプラント。
【請求項１２】
（ｉ）前記本体は、半径ＲIを有して下椎骨の鉤状突起に適合するように構成された少なくとも１つの下縁を形成する請求項１に記載の椎間インプラント。
【請求項１３】
前記本体及び前記第１の竜骨は、同種移植骨から作られる請求項１に記載の椎間インプラント。
【請求項１４】
前記第１及び第２のロッキング部材は、実質的に円筒形である請求項４に記載の椎間インプラント。
【請求項１５】
前記第１及び第２の支持体は、前記本体の前記第１及び第２の外面に対して実質的に垂直である請求項４に記載の椎間インプラント。
【請求項１６】
横断方向に対向する上椎体及び下椎体によって形成された椎間腔内に挿入方向に沿って挿入されるように構成された椎間インプラントであって、
第１及び第２の対向する外面、後部側面、及び対向する前部側面を有する本体であって、該第１及び第２の対向する外面の各々が下椎体及び上椎体の一方と係合するように構成された本体と、
前記第１の外面から出て延びる第１の竜骨であって、該第１の竜骨が、前記本体の該第１の外面に面する第１の内面を形成する第１の竜骨と、
前記第２の外面から出て延びる第２の竜骨であって、前記第２の竜骨が、前記本体の前記第２の外面に面する第２の内面を形成する第２の竜骨と、を含み、
前記第１及び第２の外面は、第１の角度で互いに向けて収束し、前記第１及び第２の内面は、前記第１の角度よりも小さい第２の角度で互いに向けて収束する、椎間インプラント。
【請求項１７】
前記第１の内面及び前記第１の外面は前記挿入方向に沿って増大するこれらの間の距離を形成し、前記第２の内面及び前記第２の外面は前記挿入方向に沿って増大するこれらの間の距離を形成する請求項１６に記載の椎間インプラント。
【請求項１８】
（ｉ）前記第１の竜骨は、前記本体の前記前部及び後部側面の間で細長い第１のロッキング部材を含み、前記第２の竜骨は、該第本体の該前部及び後部側面の間で細長い第２のロッキング部材を含み、（ｉｉ）該第１のロッキング部材の前部部分が、第１の距離だけ前記第１の外面から離間し、該第１のロッキング部材の後部部分が、該第１の距離よりも大きい第２の距離だけ該第１の外面から離間する請求項１７に記載の椎間インプラント。
【請求項１９】
前記第２のロッキング部材の前部部分が、前記第１の距離だけ前記第２の外面から離間し、該第２のロッキング部材の後部部分が、前記第２の距離だけ該第２の外面から離間する請求項１８に記載の椎間インプラント。
【請求項２０】
前記第１及び第２の外面は、前記前部側面から前記後部側面まで前記挿入方向に沿って互いに向けて収束する請求項１６に記載の椎間インプラント。
【請求項２１】
前記第１及び第２のロッキング部材は、それぞれ、前記第１の内面及び前記第２の内面を形成する請求項２０に記載の椎間インプラント。
【請求項２２】
前記本体は、前記第１及び第２の外面から延びる少なくとも１つのボアを含む請求項１６に記載の椎間インプラント。
【請求項２３】
前記本体は、半径ＲIを有して下椎骨の鉤状突起に適合するように構成された少なくとも１つの下縁を形成する請求項１６に記載の椎間インプラント。
【請求項２４】
前記本体及び前記第１の竜骨は、同種移植骨から作られる請求項１６に記載の椎間インプラント。
【請求項２５】
（ｉ）前記第１の竜骨は、第１の支持体を含み、前記第１のロッキング部材は、該第１の支持体の外端に配置され、（ｉｉ）前記第２の竜骨は、第２の支持体を含み、前記第２のロッキング部材は、該第２の支持体の外端に配置され、（ｉｉｉ）該第１のロッキング部材は、該第１の支持体の横幅よりも大きい横幅を有し、該第２のロッキング部材は、該第２の支持体の横幅よりも大きい横幅を有する請求項１８に記載の椎間インプラント。
【請求項２６】
上椎体及び下椎体によって形成された椎間腔内に挿入方向に沿って挿入されるように構成された椎間インプラントであって、
上椎体及び下椎体の一方と係合するように各々が構成された第１及び第２の対向する外面と、挿入方向に対して前縁を形成する後部側面と、該挿入方向に対して後縁を形成する前部側面とを有する本体と、
前記第１の外面から出て延びる第１の竜骨であって、該第１の竜骨が、台座及び該台座から出て延びるロッキング部材を含み、該ロッキング部材が、前記本体の該第１の外面に面する表面を有し、該台座が、前記挿入方向と反対の方向に沿って増大する幅を形成する部分を有し、この部分は、前記椎間インプラントが前記椎間腔内に挿入されるとき、前記椎間腔から前記椎間インプラントが前方に移動するのに抵抗するように、上椎体に当接するように形成される、前記第１の竜骨と、
を含む椎間インプラント。
【請求項２７】
前記台座は、テーパ付きの後部部分を有する請求項２６に記載の椎間インプラント。
【請求項２８】
前記ロッキング部材の前記表面及び前記第１の外面は、前記前部側面から前記後部側面まで前記挿入方向に沿って増大するその間の距離を定める請求項２６に記載の椎間インプラント。
【請求項２９】
前記台座は、後部部分及び前部部分を形成し、該後部部分は、前記挿入方向に関して該前部部分を先行し、前記増大する幅を形成する前記部分は、該前部部分に配置される請求項２６に記載の椎間インプラント。